(57)【要約】【課題】冷蔵庫の扉の装飾に関し、装飾部品の固定時の信頼性を高め、外観品位を高めた扉を提供する【解決手段】冷蔵室扉３０は、外板３３と上部キャップ３４と下部キャップ３５と装飾部品３６と内板３７と発泡断熱材３８とからなり、装飾部品３６の裏面は発泡断熱材３８と直接接することで、発泡断熱材３８の接着力により確実に固定され、装飾部品３６の固定信頼性が高まる。【選択図】　図４
2004085073.tif 000002
【特許請求の範囲】
【請求項１】
断熱箱体の前面開口部に扉を有する冷蔵庫において、前記扉は外板と内板と樹脂製キャップと装飾部品と発泡断熱材とからなり、前記装飾部品の裏面を前記発泡断熱材と接触させ固定したことを特徴とする冷蔵庫。
【請求項２】
樹脂製キャップに開口部を設け、前記開口部を覆うように装飾部品の裏面周縁部を樹脂製キャップに接着固定したことを特徴とする請求項１に記載の冷蔵庫。
【請求項３】
樹脂製キャップと外板との接合面に開口部を設け、前記開口部を覆うように樹脂製キャップと外板とにまたがって装飾部品の裏面周縁部を接着固定したことを特徴とする請求項１に記載の冷蔵庫。
【請求項４】
断熱箱体の前面開口部に扉を有する冷蔵庫において、前記扉は外板と内板と装飾部品と発泡断熱材とからなり、前記外板に開口部を設け、前記開口部を覆うように前記装飾部品の裏面周縁部を前記外板に接着固定し、前記装飾部品の裏面を前記発泡断熱材と接触させ固定したことを特徴とする冷蔵庫。
【請求項５】
装飾部品は透明樹脂成形品またはガラスとし、発泡断熱材と接触する側の面に化粧を施したことを特徴とする請求項１から請求項４のいずれか一項に記載の冷蔵庫。
【請求項６】
装飾部品の化粧は、塗装、印刷、または転写成形により行なうことを特徴とする請求項５に記載の冷蔵庫。
【請求項７】
装飾部品の前面に部分的に印刷または転写を施したことを特徴とする請求項１から請求項６のいずれか一項に記載の冷蔵庫。
【請求項８】
装飾部品の前面上下方向に曲面状としたことを特徴とする請求項１から請求項７のいずれか一項に記載の冷蔵庫。
【発明の詳細な説明】
【０００１】
【発明の属する技術分野】
本発明は、冷蔵庫の扉の装飾に関するものである。
【０００２】
【従来の技術】
近年、冷蔵庫においては顧客ニーズに合わせて特徴ある外観が必要となっている。そこで、冷蔵庫の扉に高級感、品位向上を狙った装飾部品を取り付けているが、これまでの取り付け方法としては両面テープ、もしくは爪による引っ掛けであった。特に装飾部品が透明部品の場合は爪を付けると爪部に影が出来、品位を損ねるため、爪を付けずに両面テープのみの固定となっていた。
【０００３】
以下、図面を参照しながら従来の装飾部品の取り付け方法を説明する。
【０００４】
図１０は従来の冷蔵庫扉の正面図である。図において１は冷蔵庫のドア構造体であり、上辺キャップドア２、下辺キャップドア３、パネルドア４、内板（図示せず）に囲まれた空間内に発泡断熱材を有する。上辺キャップドア２の中央部には突出したハンドル部５を有し、ハンドル部５の下部には装飾部品６を両面テープを用いて上辺キャップドア２に固定されている。また、パネルドア４のハンドル部５に対面して凹部７を設け、ハンドル部５に手を入れやすいようにしている（例えば、特許文献１参照。）。
【０００５】
【特許文献１】
特開２０００−２８３６４１号公報
【０００６】
【発明が解決しようとする課題】
しかしながら、装飾部品６の裏面を上辺キャップドア２に両面テープのみで固定しているため、経時変化、または温度変化により装飾部品２８が剥がれてしまう問題があった。
【０００７】
また、装飾部品６に固定用の爪を設け、上辺キャップドア２に固定する方法も考えられるが、装飾部品６を透明部品とした場合、爪部に影ができ、品位を損ねてしまう問題があった。本発明は上記従来の課題を解決するもので、装飾部品の固定時の信頼性を高め、外観品位を高めた扉を有する冷蔵庫を提供することを目的とする。
【０００８】
【課題を解決するための手段】
本発明の請求項１に記載の発明は、断熱箱体の前面開口部に扉を有する冷蔵庫において、前記扉は外板と内板と樹脂製キャップと装飾部品と発泡断熱材とからなり、前記装飾部品の裏面を発泡断熱材と接触させ固定したものであり、装飾部品は発泡断熱材の接着力により確実に固定される。
【０００９】
本発明の請求項２に記載の発明は、請求項１に記載の発明において、樹脂製キャップに開口部を設け、前記開口部を覆うように装飾部品の裏面周縁部を樹脂製キャップに接着固定したものであり、外板と樹脂製キャップと装飾部品とを組立ててから発泡断熱材を注入するまでの間に装飾部品が外れてしまうことがない。また、発泡断熱材注入後の装飾部品周辺の漏れを防止できる。また、
本発明の請求項３に記載の発明は、請求項１に記載の発明において、樹脂製キャップと外板との接合面に開口部を設け、前記開口部を覆うように樹脂製キャップと外板とにまたがって装飾部品の裏面周縁部を接着固定したものであり、外板と樹脂製キャップと装飾部品とを組立ててから発泡断熱材を注入するまでの間に装飾部品が外れてしまうことがない。また、発泡断熱材注入後の装飾部品周辺の漏れを防止できる。
【００１０】
本発明の請求項４に記載の発明は、断熱箱体の前面開口部に扉を有する冷蔵庫において、前記扉は外板と内板と装飾部品と発泡断熱材とからなり、前記外板に開口部を設け、前記開口部を覆うように前記装飾部品の裏面周縁部を前記外板に接着固定し、前記装飾部品の裏面を前記発泡断熱材と接触させ固定したものであり、外板と装飾部品とを組立ててから発泡断熱材を注入するまでの間に装飾部品が外れてしまうことがない。また、発泡断熱材注入後の装飾部品周辺の漏れを防止できる。
【００１１】
本発明の請求項５に記載の発明は、請求項１から請求項４のいずれか一項に記載の発明において、装飾部品は透明樹脂成形品またはガラスとし、発泡断熱材と接触する側の面に化粧を施したものであり、固定用の爪部成形時の影の発生による外観品位の低下を防止できる。また、化粧面が装飾部品の透明部を透して見ることにより深みのある高級感を与えることができる。
【００１２】
本発明の請求項６に記載の発明は、請求項１から請求項５のいずれか一項に記載の発明において、装飾部品の化粧は、塗装、印刷、または転写成形により行なうものであり、目的に応じて化粧面の装飾が可能となる。
【００１３】
本発明の請求項７に記載の発明は、請求項１から請求項６のいずれか一項に記載の発明において、装飾部品の前面に部分的に印刷または転写を施したものであり、装飾部品の表面の文字や絵柄が浮かび上がり、視認性が向上する。
【００１４】
本発明の請求項８に記載の発明は、請求項１から請求項７のいずれか一項に記載の発明において、装飾部品の前面上下方向に曲面状としたものであり、柔らかみのある外観を得ることができる。
【００１５】
【発明の実施の形態】
以下、本発明による冷蔵庫の実施の形態について、図面を参照しながら説明する。
【００１６】
（実施の形態１）
図１は、本発明の実施の形態１による冷蔵庫の正面図、図２は、同実施の形態の冷蔵庫の側面断面図、図３は、同実施の形態の冷蔵庫の扉の斜視図、図４は、同実施の形態の冷蔵庫の扉の分解斜視図、図５は、同実施の形態の冷蔵庫の扉の要部断面図、図６は、図５のＡ部拡大図、図７は、図５のＢ部拡大図である。
【００１７】
図において、２０は冷蔵庫で、内箱２１、外箱２２、発泡断熱材２３からなる断熱箱体を断熱仕切壁２４で庫内を上下に仕切り、上部より冷蔵室２５、野菜室２６を有している。断熱仕切壁２４の下部には冷凍室２７を有し、冷凍室２７の背面には蒸発器２８、冷却ファン２９を配している。
【００１８】
冷蔵室２５の前面には回転式の冷蔵室扉３０、野菜室２６の前面には引出し式の野菜室扉３１、冷凍室２７の前面には引出し式の冷凍室扉３２を有している。
【００１９】
冷蔵室扉３０は、鋼板製の外板３３と樹脂で形成された上部キャップ３４と樹脂で形成された下部キャップ３５と装飾部品３６と内板３７と発泡断熱材３８からなる。ここで、下部キャップ３５の一部には凹部３９を有し、ハンドル４０を構成している。また、下部キャップ３５の前面には、穴４２を有し、穴４２の外周周縁部には接着部材としての両面テープ４４を設けている。また、穴４２の下方には凹部４３を設けている。
【００２０】
また、装飾部品３６は、透明樹脂を成形したもので、発泡断熱材３８と接触する側の面（Ｃ面）に化粧を施している。前記化粧は、塗装、印刷、または転写成形により行なわれるもので、所望の化粧面を形成することが可能である。また、装飾部品３６の下部には凸部４１を有している。また、装飾部品３６の前面（Ｄ面）には部分的に印刷または転写により、文字や絵柄を施している。また、装飾部品３６の前面（Ｄ面）は上下方向に曲面状としたものである。
【００２１】
上記構成において、装飾部品３６は、凸部４１と凹部４３を嵌合させ下部キャップ３５の前面の穴４２を覆うように接着部材としての両面テープを介して下部キャップ３５に仮固定される。その後、外板３３の上辺に上部キャップ３４を、下辺に下部キャップ３５を嵌合させ、外板３３の内側を上方に向け、発泡時具に固定する。そして発泡断熱材３８を流し込むとともに内板３７を覆い、冷蔵室扉３０が完成する。したがって、装飾部品３６の裏面は発泡断熱材３８と直接接するので、発泡完了後、装飾部品３６は発泡断熱材３８の接着力により確実に固定され、経時変化、または温度変化により装飾部品３６が剥がれてしまう等の問題が生じない。
【００２２】
また、装飾部品３６は、凸部４１と凹部４３を嵌合させ下部キャップ３５の前面の穴４２を覆うように接着部材としての両面テープを介して下部キャップ３５に仮固定されるので、組立ててから発泡断熱材３８を注入するまでの間に装飾部品３６が外れてしまうことがない。また、発泡断熱材３８注入後の装飾部品３６周辺のウレタン漏れを防止できる。
【００２３】
また、装飾部品３６は、一部品で構成する樹脂製の下部キャップ３５の前面の穴４２を覆うように固定されるので、組立時の装飾部品３６と下部キャップ３５の隙間寸法ばらつきを小さくでき、外観見栄えも向上し、両面テープの接着性も向上する。
【００２４】
また、装飾部品３６は、透明樹脂を成形したもので、発泡断熱材３８と接触する側の面（Ｃ面）に化粧を施しているので、化粧面が装飾部品の透明部を透して見ることにより深みのある高級感を与えることができる。また、透明樹脂を成形した装飾部品３６は下部キャップ３５の前面の穴４２を覆うように接着部材としての両面テープを介して下部キャップ３５に仮固定され、その後、発泡断熱材３８により接着固定されるので、固定用の爪部を成形する必要もなく、固定用の爪部成形時の影の発生による外観品位の低下を防止できる。
【００２５】
また、装飾部品３６の化粧は、塗装、印刷、または転写成形により行なわれるもので、コスト的には塗装が最も安く、次いで印刷、転写成形の順であり、化粧面の美しさ、設計自由度の高さから言えば、転写成形が最も優れ、次いで印刷、塗装の順となっており、目的に応じて化粧面の装飾が可能となる。なお、本実施の形態では印刷により化粧面を構成している。
【００２６】
また、装飾部品３６の前面（Ｄ面）には部分的に印刷または転写により、文字や絵柄を施しているので、装飾部品の表面の文字や絵柄が浮かび上がり、外観の美しさや視認性が向上する。
【００２７】
また、装飾部品３６の前面（Ｄ面）は上下方向に曲面状としたものであり、柔らかみのある外観を得ることができる。
【００２８】
なお、本実施の形態では、冷蔵室扉に装飾部品を設けたもので説明したが、野菜室扉、冷凍室扉に適用することも、もちろんできる。また、装飾部品３６は、透明樹脂を成形したものとしたが、ガラスを用いてもよい。
【００２９】
（実施の形態２）
図８は本発明の実施の形態２による冷蔵庫の扉の分解斜視図である。なお、実施の形態１と同一構成については、詳細な説明を省略する。
【００３０】
図において、外板４５の下部には下部切欠き部４６を、下部キャップ４７の上部には上部切欠き部４８を設けている。そして、外板４５と下部キャップ４７を組み込んだ時に接合面となる下部切欠き部４６と上部切欠き部４８が一体となり開口部を形成する。そして、開口部を覆うように装飾部品３６の裏面周縁部を両面テープで接着固定している。
【００３１】
上記構成により、発泡完了後、装飾部品３６は発泡断熱材３８の接着力により確実に固定され、経時変化、または温度変化により装飾部品３６が剥がれてしまう等の問題が生じない。
【００３２】
また、装飾部品３６は、下部切欠き部４６と上部切欠き部４８が一体となった開口部を覆うように接着部材としての両面テープを介して下部キャップ４７と外板４５に仮固定されるので、組立ててから発泡断熱材３８を注入するまでの間に装飾部品３６が外れてしまうことがない。また、発泡断熱材３８注入後の装飾部品３６周辺のウレタン漏れを防止できる。
【００３３】
また、下部キャップ４７の構造を簡素化でき、低コスト化が図れる。
【００３４】
（実施の形態３）
図９は本発明の実施の形態３による冷蔵庫の扉の分解斜視図である。なお、実施の形態１と同一構成については、詳細な説明を省略する。
【００３５】
図において、外板４９の下部には開口部５０を設けている。５１は下部キャップである。そして、外板４９と下部キャップ５１を組み込み、開口部５０を覆うように装飾部品３６の裏面周縁部を両面テープで接着固定している。
【００３６】
上記構成により、発泡完了後、装飾部品３６は発泡断熱材３８の接着力により確実に固定され、経時変化、または温度変化により装飾部品３６が剥がれてしまう等の問題が生じない。
【００３７】
また、装飾部品３６は、開口部５０を覆うように接着部材としての両面テープを介して外板４９に仮固定されるので、組立ててから発泡断熱材３８を注入するまでの間に装飾部品３６が外れてしまうことがない。また、発泡断熱材３８注入後の装飾部品３６周辺のウレタン漏れを防止できる。
【００３８】
また、外板４９に装飾部品３６を接着固定することで、装飾部品３６の設計自由度が高まる。
【００３９】
【発明の効果】
以上説明したように請求項１に記載の発明は、断熱箱体の前面開口部に扉を有する冷蔵庫において、前記扉は外板と内板と樹脂製キャップと装飾部品と発泡断熱材とからなり、前記装飾部品の裏面を発泡断熱材と接触させ固定したものであり、装飾部品は発泡断熱材の接着力により確実に固定され、信頼性が高まる。
【００４０】
また、本発明の請求項２に記載の発明は、請求項１に記載の発明において、樹脂製キャップに開口部を設け、前記開口部を覆うように装飾部品の裏面周縁部を樹脂製キャップに接着固定したものであり、装飾部品は発泡断熱材の接着力により確実に固定される。また、組立時の外観見栄えも向上し、両面テープの接着性も向上する。
【００４１】
また、本発明の請求項３に記載の発明は、請求項１に記載の発明において、樹脂製キャップと外板との接合面に開口部を設け、前記開口部を覆うように樹脂製キャップと外板とにまたがって装飾部品の裏面周縁部を接着固定したものであり、外板と樹脂製キャップと装飾部品とを組立ててから発泡断熱材を注入するまでの間に装飾部品が外れてしまうことがない。また、発泡断熱材注入後の装飾部品周辺の漏れを防止できる。
【００４２】
本発明の請求項４に記載の発明は、断熱箱体の前面開口部に扉を有する冷蔵庫において、前記扉は外板と内板と装飾部品と発泡断熱材とからなり、前記外板に開口部を設け、前記開口部を覆うように前記装飾部品の裏面周縁部を前記外板に接着固定し、前記装飾部品の裏面を前記発泡断熱材と接触させ固定したものであり、外板と装飾部品とを組立ててから発泡断熱材を注入するまでの間に装飾部品が外れてしまうことがない。また、発泡断熱材注入後の装飾部品周辺の漏れを防止できる。
【００４３】
本発明の請求項５に記載の発明は、請求項１から請求項４のいずれか一項に記載の発明において、装飾部品は透明樹脂成形品またはガラスとし、発泡断熱材と接触する側の面に化粧を施したものであり、固定用の爪部成形時の影の発生による外観品位の低下を防止できる。また、化粧面が装飾部品の透明部を透して見ることにより深みのある高級感を与えることができる。
【００４４】
本発明の請求項６に記載の発明は、請求項１から請求項５のいずれか一項に記載の発明において、装飾部品の化粧は、塗装、印刷、または転写成形により行なうものであり、目的に応じて化粧面の装飾が可能となる。
【００４５】
本発明の請求項７に記載の発明は、請求項１から請求項６のいずれか一項に記載の発明において、装飾部品の前面に部分的に印刷または転写を施したものであり、装飾部品の表面の文字や絵柄が浮かび上がり、意匠性、視認性が向上する。
【００４６】
本発明の請求項８に記載の発明は、請求項１から請求項７のいずれか一項に記載の発明において、装飾部品の前面上下方向に曲面状としたものであり、柔らかみのある外観を得ることができ、意匠性が高まる。
【図面の簡単な説明】
【図１】本発明の実施の形態１による冷蔵庫の正面図
【図２】同実施の形態の冷蔵庫の側面断面図
【図３】同実施の形態の冷蔵庫の扉の斜視図
【図４】同実施の形態の冷蔵庫の扉の分解斜視図
【図５】同実施の形態の冷蔵庫の扉の要部断面図
【図６】図５のＡ部拡大図
【図７】図５のＢ部拡大図
【図８】本発明の実施の形態２による冷蔵庫の扉の分解斜視図
【図９】本発明の実施の形態３による冷蔵庫の扉の分解斜視図
【図１０】従来の冷蔵庫扉の正面図
【符号の説明】
２０　冷蔵庫
２１　内箱
２２　外箱
２３　発泡断熱材
３０　冷蔵室扉
３３、４５、４９　外板
３４　上部キャップ
３５、４７、５１　下部キャップ
３６　装飾部品
３７　内板
３８　発泡断熱材
４２、５０　開口部
４４　両面テープ
４６　下部切欠き部
４８　上部切欠き部
【図１】
2004085073.tif 000003
【図２】
2004085073.tif 000004
【図３】
2004085073.tif 000005
【図４】
2004085073.tif 000006
【図５】
2004085073.tif 000007
【図６】
2004085073.tif 000008
【図７】
2004085073.tif 000009
【図８】
2004085073.tif 000010
【図９】
2004085073.tif 000011
【図１０】
2004085073.tif 000012